(57)【要約】【課題】取付けが容易で重量物を支持できるようにする。【解決手段】帯状基板２２とその両側に屈曲形成された側板２３、２４とでコの字状の断面構造を有するフック部２１と、その一方の側板２３から鈍角をなして延びた固定片３０とで一体的に形成されており、固定片３０を取付対象面に接してその反対面から鋲打固定することで取り付けられるので、取付対象面が前記したデッキプレートの場合であっても予め穴開け加工等することなく、コンクリート打設後に任意の位置に鋲打機で打ち込まれた鋲により固定することができる。【選択図】図１
2010261563.tif 000002
【特許請求の範囲】
【請求項１】
帯状基板（２２）と、該帯状基板の両縁から互いに対向するように屈曲された一対の側板（２３、２４）とで略コの字状の断面構造を有し、前記帯状基板の幅方向と直交する面内で該帯状基板が内周側となる状態でフック状に屈曲され、その内側に長尺物を受け入れて支持するためのフック部（２１）と、
前記フック部の一端側において一方の側板から前記フック部から離間する方向に延び、且つ該一方の側板に対して鈍角をなすように屈曲された固定片（３０）とを有し、
前記固定片の両面のうち、前記フック部側の面と反対側の面を取付対象面に接した状態で、前記フック部側の面側から鋲打機によって打ち込まれた鋲により前記取付対象面に固定され、該鋲打ちされた後に前記フック部の前記一方の側板が前記固定片に対してほぼ９０度の角度となるように曲げられるように形成されていることを特徴とする長尺物支持具。
【請求項２】
前記フック部には、その内側に支持した長尺物を結束するためのバンドを通過させるバンド穴（２６）が設けられていることを特徴とする請求項１記載の長尺物支持具。
【発明の詳細な説明】
【技術分野】
【０００１】
本発明は、建造物の天井面や壁面等を取付対象面とし、その取付対象面に沿って配線されるケーブルやパイプなどの長尺物を支持するための長尺物支持具において、取付けが容易で重量物を支持できるようにするための技術に関する。
【背景技術】
【０００２】
例えば、ビルディング、工場、倉庫、その他の建造物の天井面に沿った配線工事や配管工事を行う際に、ケーブルやパイプなどの長尺物を支持するための長尺物支持具を天井面に固定している。
【０００３】
この種の長尺物支持構造としては、従来からインサート方式のものや接着方式のものが用いられていた。
【０００４】
インサート方式のものは、例えば図９に示すように、コンクリート打設のために用いるデッキプレート１に予め穴１ａを開け、この穴１ａにインサート部材２を上方から打ち込んでおき、デッキプレート１の上面側にコンクリート３を打設する。
【０００５】
そして、コンクリート３が固まってインサート部材２が固定された後に、ボルト材をフック状に屈曲して形成した支持具本体５の上端５ａをインサート部材２のネジ穴２ａに下側からねじ込んで固定し、その支持具本体５の内側にケーブルやパイプなどの長尺物を通して、垂れないように下方から支持する。
【０００６】
また、接着方式の場合、例えば図１０のように、ベース板１０の上面とデッキプレート１の下面との間を両面接着テープ１１（あるいは接着剤）を介して接着させ、ベース板１０に予め取り付けられている金属線入りの自在バンド１２により、長尺物６を縛るようにして保持する。
【０００７】
なお、上記したインサート方式の工事に用いるインサート部材２やボルト材をフック状に屈曲して形成した支持具本体５の具体的な製品例としては、下記の非特許文献１に開示されている。
【先行技術文献】
【非特許文献】
【０００８】
【非特許文献１】ネグロス  総合カタログ  ２００８／０９Ａ  ７２ページ「サキラック用ケーブル支持金具」  ネグロス電工株式会社発行
【発明の概要】
【発明が解決しようとする課題】
【０００９】
しかしながら、上記したインサート方式のものでは、コンクリート打設前にインサート部材２をデッキプレート１に穴をあけて固定するという面倒な作業が必要であり、しかも、コンクリート打設後に取付け位置を変更することができないという不便さがあった。
【００１０】
また、前記の接着式の場合、その取付け作業が容易で取付け位置の変更も楽であるが、重量物を支持することができず、支持する長尺物が極めて軽い場合か、あるいは別の支持具で支持するまでの仮止めとして用いることしかできない。
【００１１】
本発明は、この問題を解決して、取付けが容易で比較的重量のある長尺物の支持が可能な長尺物支持具を提供することを目的としている。
【課題を解決するための手段】
【００１２】
前記目的を達成するために、本発明の請求項１の長尺物支持具は、
帯状基板（２２）と、該帯状基板の両縁から互いに対向するように屈曲された一対の側板（２３、２４）とで略コの字状の断面構造を有し、前記帯状基板の幅方向と直交する面内で該帯状基板が内周側となる状態でフック状に屈曲され、その内側に長尺物を受け入れて支持するためのフック部（２１）と、
前記フック部の一端側において一方の側板から前記フック部から離間する方向に延び、且つ該一方の側板に対して鈍角をなすように屈曲された固定片（３０）とを有し、
前記固定片の両面のうち、前記フック部側の面と反対側の面を取付対象面に接した状態で、前記フック部側の面側から鋲打機によって打ち込まれた鋲により前記取付対象面に固定され、該鋲打ちされた後に前記フック部の前記一方の側板が前記固定片に対してほぼ９０度の角度となるように曲げられるように形成されていることを特徴とする。
【００１３】
また、本発明の請求項２の長尺物支持具は、請求項１記載の長尺物支持具において、
前記フック部には、その内側に支持した長尺物を結束するためのバンドを通過させるバンド穴（２６）が設けられていることを特徴とする。
【発明の効果】
【００１４】
このように本発明の長尺物支持具は、帯状基板とその両側に屈曲形成された側板とでコの字状の断面構造を有するフック部と、その一方の側板から鈍角をなして延びた固定片とで一体的に形成されており、固定片を取付対象面に接してその反対面から鋲打固定することで取り付けられるので、取付対象面が前記したデッキプレートの場合であっても予め穴開け加工等することなく、コンクリート打設後に任意の位置に鋲打機で打ち込まれた鋲により固定することができる。
【００１５】
また、固定片は一方の側板に対して鈍角となしているから、固定片を取付対象面に接した状態にしたとき、そのフック部全体が固定片の反対面側の位置から離間方向に傾くことになり、鋲打機による作業の妨げとならないで容易に鋲打ち固定できる。
【００１６】
また、フック部はコの字状の断面を有しているので、固定片を鋲打ち固定したあとに手作業で曲げ加工できる程度の板厚であっても、フック部に高い剛性をもたせることができ、重量のある長尺物の支持が可能である。
【００１７】
また、フック部にバンド穴が設けられたものでは、そのバンド穴にバンドを通過させ結束することにより、長尺物がフック部から脱落することを防止できる。
【図面の簡単な説明】
【００１８】
【図１】本発明の実施形態の斜視図
【図２】本発明の実施形態の斜視図
【図３】実施形態の使用方法を説明するための図
【図４】実施形態の使用方法を説明するための図
【図５】実施形態の使用方法を説明するための図
【図６】実施形態の使用方法を説明するための図
【図７】実施形態の使用方法を説明するための図
【図８】固定片の曲げ方向を変えた構造例を示す図
【図９】従来の支持具の構造例を示す図
【図１０】従来の支持具の構造例を示す図
【発明を実施するための形態】
【００１９】
以下、図面に基づいて本発明の実施の形態を説明する。
図１、図２は、本発明を適用した長尺物支持具２０の構造を示している。
【００２０】
これらの図において、長尺物支持具２０は、例えば厚さ１．２ｍｍ程度の鋼板に対する型抜きおよびプレス加工によって一体形成したものであり、略Ｌ状に形成されたフック部２１と固定片３０とを有している。
【００２１】
フック部２１は、幅１〜２ｃｍ、長さ２０ｃｍ程度の帯状基板２２と、帯状基板２２の両縁からほぼ９０度の角度をなすようにして互いに対向するように屈曲された一対の側板２３、２４とで略コの字状の断面構造を有し、帯状基板２２の幅方向と直交する面内で帯状基板２２が内周側となる状態でＬ字のフック状に屈曲されている。
【００２２】
さらに具体的にいえば、フック部２１は、直線状に斜めに所定距離Ｌ１延びた第１腕部２１ａ、第１腕部２１ａの一端（図では下端）から鋭角をなすようにして水平方向に所定距離Ｌ２（＜Ｌｌ）延びた第２腕部２１ｂ、第２腕部２１ｂから第１腕部２１ａ側へほぼ９０度をなすように上方に所定距離Ｌ３（＜Ｌ２）延びた第３腕部２１ｃを有し、第２腕部２１ｂと第３腕部２１ｃの先端と間に形成される開口から長尺物を受け入れて支持することができる。
【００２３】
フック部２１の帯状基板２２には、結束バンドを通過させるための複数のバンド穴２６が所定間隔で設けられている。
【００２４】
フック部２１の第１腕部２１ａの他端（図では上端）は、第２腕部２１ｂのほぼ中央上方に位置し、その他端側における一方の側板２３には、上方に延びた延長部２３ａが形成されており、その延長部２３ａの先端部には曲げ加工しやすいようにやや幅狭く形成された幅狭部２３ｂが形成されている。
【００２５】
固定片３０は、この幅狭部２３ｂと連続し且つ側板２３の延長部２３ａに対して鈍角（ここではほぼ１３５度）をなすように傾斜してフック部２１から離間する方向に延びている。
【００２６】
この固定片３０の内面３０ａの外縁には、鋲打機のヘッドを固定片３０の中央に位置決めするための三角マーク３１がプレス加工により表示されている。
【００２７】
なお、この例では、固定片３０が他方の側板２４側に傾いているが、これと反対側に傾いていてもよい。
【００２８】
次に、上記構成の長尺物支持具２０の使用方法について説明する。
図３に示すように、長尺物支持具２０をコンクリート３の打設後のデッキプレート１の突出部１ｂの間に取り付ける場合、始めに、フック部２１を一方の手で持ち、固定片３０の両面のうち、フック部２１側の内面３０ａと反対側の外面３０ｂを取付対象のデッキプレート１の平坦な面に接するように押しつける。
【００２９】
そして、他方の手に持った鋲打機５０のヘッド５０ａの先端を、図４のように固定片３０の内面３０ａに押し当て、三角マーク３１を目安にして位置決めをし、打ち込み操作を行う。
【００３０】
この作業の際に、長尺物支持具２０のフック部２１は、固定片３０に対してほぼ１３５度の角度をなし、固定片３０の下方部分から遠ざかるように傾いているので、上記のような突出部１ｂが狭い間隔で設けられたデッキプレート１に対しても、フック部２１やデッキプレート１の突出部１ｂに邪魔されることなく、作業者一人で、鋲打機５０による位置決めおよび打ち込み操作が容易に行える。
【００３１】
特にガス式の鋲打機は、電源がなくても使用できる利便性がある反面、凶器として携帯使用される可能性があり、これを未然に防ぐために大型に形成され、ヘッド周りに十分なスペースを必要とするが、この実施形態では上記したように固定片３０の下方部分が広く開放されているので、形状が大きいガス式の鋲打機の使用が可能となる。
【００３２】
この作業により、図５のように、鋲５１が固定片３０とデッキプレート１を貫通するようにして打ち込まれて、この長尺物支持具２０がデッキプレート１に固定される。
【００３３】
そして、フック部２１を持って図５の矢印Ａの方向に回動させ、図６のように固定片３０と側板２３がほぼ９０度の角度となるように曲げることで、フック部２１を固定片３０の直下に位置させることができる。
【００３４】
そして、この状態から、例えば図７に示すように、長尺物としてのケーブル６、６、…をフック部２１の内側に通し、結束バンド４０をバンド穴２６に通してこれらのケーブル６、６、…を束ねることで、ケーブル６、６、…は、たとえ振動等があっても長尺物支持具２０から脱落しない。
【００３５】
このように、実施形態の長尺物支持具２０は、フック部２１を構成する側板から鈍角をなすように延長された固定片３０を鋲打ちすることでデッキプレート等の取付け対象面に固定する構造であるから、コンクリート打設前の穴あけ加工やインサート部材の固定作業が不要で、容易に且つ任意の位置に取付けることができる。
【００３６】
また、フック部２１は、帯状基板２２と側板２３、２４とによりコの字状断面を有しているので、固定片３０と側板２３との間の手作業による曲げ加工が可能な厚さの板材を用いていても、十分な剛性をもたせることができ、重量のある長尺物の支持が可能となる。
【００３７】
さらに、フック部２１に結束バンド４０を通過させるためのバンド穴２６を設けているので、支持した長尺物が振動で脱落することを確実に防止できる。
【００３８】
なお、上記した長尺物支持具２０では、フック部２１が略Ｌ字のフック状に屈曲されていたが、フック部２１全体あるいは一部が円弧状であってもよく、その全体形状は任意である。
【００３９】
また、前記実施形態では、一方の側板２３に延長部２３ａを設け、その先端側に曲げ加工を容易にするための幅狭部２３ｂを設けていたが、この延長部２３ａおよび幅狭部２３ｂを省略し、側板２３の端部に固定片３０を延設してもよい。
【００４０】
また、前記したように、固定片３０の傾斜方向は側板２４方向だけでなく、図８のように、側板２４と反対側に傾斜させてもよい。
【００４１】
また、上記説明では、実施形態の長尺物支持具２０の取付対象面を、天井面を形成するデッキプレート１の場合について説明したが、鉛直あるいは傾斜した壁面に固定して用いることもできる。その場合には、例えば第１腕部２１ａと第２腕部２１ｂの交差部分で長尺物を支持すればよい。
【符号の説明】
【００４２】
１……デッキプレート、２０……長尺物支持具、２１……フック部、２１ａ……第１腕部、２１ｂ……第２腕部、２１ｃ…第３腕部、２２……帯状基板、２３、２４……側板、２６……バンド穴、３０……固定片、３１……三角マーク、４０……結束バンド、５０……鋲打機
【図１】
2010261563.tif 000003
【図２】
2010261563.tif 000004
【図３】
2010261563.tif 000005
【図４】
2010261563.tif 000006
【図５】
2010261563.tif 000007
【図６】
2010261563.tif 000008
【図７】
2010261563.tif 000009
【図８】
2010261563.tif 000010
【図９】
2010261563.tif 000011
【図１０】
2010261563.tif 000012